(57)【要約】  本発明によるディスプレー機器の角度調節装置はディスプレー機器の背面に結合される支持板と、前記支持板の中心部を貫通して、前記支持板と一体に動いて、所定の曲率半径に湾曲されるスイベルと、前記スイベルの陥没部に装着されて前記スイベルを加圧する圧力板と、前記スイベルの曲率と等しい曲率半径で前面部が陥没されて前記スイベルが装着されるようにするスイベルホルダーと、前記スイベルホルダーの背面に装着されて前記ディスプレー機器が壁面に固定されるようにする取付板と、前記取付板の背面から前記圧力板の前面部を貫通するシャフト、及び前記シャフトの外周面に挿入されて前記圧力板を加圧するナット、が含まれる。【選択図】図１
2008513846.tif 000002
【特許請求の範囲】
【請求項１】
ディスプレー機器の背面に結合される支持板と、
前記支持板の中心部を貫通して、前記支持板と一体で動いて、所定の曲率半径に湾曲されるスイベルと、
前記スイベルの陥没部に装着されて前記スイベルを加圧する圧力板と、
前記スイベルの曲率と等しい曲率半径で前面部が陥没されて前記スイベルが装着されるようにするスイベルホルダーと、
前記スイベルホルダーの背面に装着されて前記ディスプレー機器が壁面または天井に固定されるようにする取付板と、
前記取付板の背面から前記圧力板の前面部を貫通するシャフト、及び
前記シャフトの外周面に挿入されて前記圧力板を加圧するナットが含まれるディスプレー機器の角度調節装置。
【請求項２】
前記スイベルは陥没部に所定の大きさの直径を有する貫通孔が形成されることを特徴とする請求項１に記載のディスプレー機器の角度調節装置。
【請求項３】
前記スイベルは陥没部に所定の幅と長さに形成される直線形態のホームが含まれることを特徴とする請求項１に記載のディスプレー機器の角度調節装置。
【請求項４】
前記スイベルは陥没部に相互交差されて形成される角度調節ホームが含まれることを特徴とする請求項１に記載のディスプレー機器の角度調節装置。
【請求項５】
前記シャフトの前方外周面に挿入されて前記圧力板を加圧する環形のワッシャーが少なくとも一つ以上含まれることを特徴とする請求項１に記載のディスプレー機器の角度調節装置。
【請求項６】
前記シャフトの前方外周面に挿入されて前記圧力板を加圧して、螺旋形状で成り立って一側終端と他側終端が離隔されるスプリングワッシャーが含まれるまれることを特徴とする請求項１に記載のディスプレー器機の角度調節装置。
【請求項７】
前記ナットと前記圧力板の間に挿入されて前記スイベルに作用する摩擦力の大きさを調節して、
所定の弾性係数を持って螺旋形で成り立つスプリングワッシャーと、
前記スプリングワッシャーの前側及び後側に挿入される環形の平ワッシャーで成り立つワッシャー部材が含まれることを特徴とする請求項１に記載のディスプレー機器の角度調節装置。
【請求項８】
前記スイベルの端部は放射状所定間隔を置いて円周面に沿って帯が形成されて、前記帯は前記支持板の前面に装着されることを特徴とする請求項１に記載のディスプレー機器の角度調節装置。
【請求項９】
前記スイベルの回転中心と前記支持板と結合されるディスプレー機器の重さの中心が同一垂直線上に位置されるようにすることを特徴とする請求項１に記載のディスプレー機器の角度調節装置。
【請求項１０】
一側終端は前記ディスプレー機器の背面に結合されて、
他側終端は前記支持板の前面部に結合される所定の長さのボスが少なくとも一つ以上含まれることを特徴とする請求項１に記載のディスプレー機器の角度調節装置。
【請求項１１】
ディスプレー機器の背面に結合される支持板と、前記支持板の中心部を貫通して前記支持板と一体で回転するスイベルが含まれる回転部材と、
前記スイベルの前面に装着される圧力板と、前記スイベルの後面に装着されるスイベルホルダーが含まれる摩擦部材と、
前記スイベルホルダーの背面に装着される取付板と、
前記取付板の背面から前記圧力板の前面部を貫通するシャフトと、
前記シャフトの外周面に挿入されて前記圧力板の加圧力が調節されるようにするワッシャー部と、
前記ワッシャー部の前面に挿入されて前記ワッシャー部を加圧するナットと、  
前記取付板の背面に垂直するように装着される高く調節部材と、及び
前記高く調節部材の終端に装着されて、所定の広さを有する固定板が含まれるディスプレー機器の角度調節装置。
【請求項１２】
前記高さ調節部材は上下方向の長さの調節が可能なことを特徴とする請求項１１に記載のディスプレー機器の角度調節装置。
【請求項１３】
前記高さ調節部材は回転可能なことを特徴とする請求項１１に記載のディスプレー機器の角度調節装置。
【請求項１４】
前記固定板は天井に装着可能なことを特徴とする請求項１１に記載のディスプレー器機の角度調節装置。
【請求項１５】
前記固定板は底面に装着されて、前記高さ調節部材と一緒にスタンド機能が遂行されることを特徴とする請求項１１に記載のディスプレー機器の角度調節装置。
【請求項１６】
ディスプレー機器の背面に結合される支持板と、
前記支持板の前側から後側方向に貫通挿入されるスイベルと、
前記スイベルの前面部に装着されて前記スイベルを加圧する圧力板と、
前記スイベルが前面に装着されるスイベルホルダーと、
前記スイベルホルダーの背面に装着される取付板と、
前記取付板の背面から前記圧力板の前面部を貫くシャフトと、
前記シャフトの外周面に挿入されて前記圧力板を加圧するナット、及び
前記ナットと前記圧力板の間に挿入されるワッシャー部が含まれるディスプレー機器の角度調節装置。
【請求項１７】
前記スイベルは所定の曲率半径を有して湾曲され、
前記スイベルホルダーは前記スイベルの曲率半径と等しい曲率半径に陥没されることを特徴とする請求項１６に記載のディスプレー機器の角度調節装置．
【請求項１８】
前記取付板は天井または壁面に付着可能なことを特徴とする請求項１６に記載のディスプレー機器の角度調節装置。
【請求項１９】
前記スイベルホルダーは所定の直径と長さを有する円筒形状であることを特徴とする請求項１６に記載のディスプレー機器の角度調節装置。
【請求項２０】
前記スイベルの内周面から前記ディスプレー機器の重さの中心までの距離はスイベルの曲率半径と等しいことを特徴とする請求項１６に記載のディスプレー機器の角度調節装置。
【請求項２１】
前記スイベルの前後面に作用する摩擦力の大きさが微細に調整されるようにするために前記ワッシャー部が所定の弾性力を有することを特徴とする請求項１６に記載のディスプレー機器の角度調節装置。
【発明の詳細な説明】
【技術分野】
【０００１】
本発明はディスプレー機器の角度調節装置に関することとして、より詳細に説明すると、壁面や天井に付着するディスプレー機器の回転角度及び回転方向を自由自在に設定するようにする角度調節装置に関することである。
【背景技術】
【０００２】
一般的にディスプレー機器と言うことはＴＶモニターまたはコンピューターモニターなどを言う。そして、最近はＴＶモニターの場合ＰＤＰ、ＬＣＤなどのようにモニターが平面形状を成してその大きさにおいても一般ＣＲＴモニターよりずっと大きく製作される。そして、前記のようなディスプレーモニターが壁面に装着されるようにすることで、室内空間の活用度が高くなる趨勢である。
【０００３】
しかし、現在ディスプレー機器が壁面に装着された状態では前記ディスプレー機器の高さや方向を調節することができない短所がある。言い換えれば、壁面に固定付着すれば回転が不可能だから、前記ディスプレー機器の正面から側傍に曲がった線状態でディスプレー機器を注視する場合画面がよく見えない短所がある。
【０００４】
よって、ディスプレー機器の正面で画面を凝視するのに不便な位置にいる人はディスプレー画面をよく見られない短所がある。
【発明の開示】
【発明が解決しようとする課題】
【０００５】
本発明は前記のような問題点を解決するために提案されたこととして、ディスプレー機器が壁面に装着された状態でも角度調節が容易になるようにすることで、画面を注視する人がディスプレー機器の正面で所定角度位脱した位置にあってもきれいな画面を凝視できるようにするディスプレー機器の角度調節装置を提供することを目的とする。
【課題を解決するための手段】
【０００６】
前記したところのような技術的課題を解決するための本発明によるディスプレー機器の角度調節装置はディスプレー機器の背面に結合される支持板と、前記支持板の中心部を貫通して、前記支持板と一体で動いて、所定の曲率半径に湾曲されるスイベルと、前記スイベルの陥没部に装着されて前記スイベルを加圧する圧力板と、前記スイベルの曲率と等しい曲率半径で前面部が陥没されて前記スイベルが装着されるようにするスイベルホルダーと、前記スイベルホルダーの背面に装着されて前記ディスプレー機器が壁面又は天井に固定されるようにする取付板と、前記取付板の背面から前記圧力板の前面部を貫通するシャフト、及び前記シャフトの外周面に挿入されて前記圧力板を加圧するナットが含まれる。
【０００７】
また他の側面での本発明によるディスプレー機器の角度調節装置はディスプレー機器の背面に結合される支持板と、前記支持板の中心部を貫通して前記支持板と一体で回転するスイベルが含まれる回転部材と、前記スイベルの前面に装着される圧力板と、前記スイベルの後面に装着されるスイベルホルダーが含まれる摩擦部材と、前記スイベルホルダーの背面に装着される取付板と、前記取付板の背面から前記圧力板の前面部を貫通するシャフトと、前記シャフトの外周面に挿入されて前記圧力板の加圧力が調節されるようにするワッシャー部と、前記ワッシャー部の前面に挿入されて前記ワッシャー部を加圧するナットと、前記取付板の背面に垂直に装着される高さ調節部材、及び前記高さ調節部材の終端に装着されて、所定の広さを有する固定板が含まれる。
【０００８】
また他の側面での本発明によるディスプレー機器の角度調節装置はディスプレー機器の背面に結合される支持板と、前記支持板の前側から後側方向に貫通挿入されるスイベルと、前記スイベルの前面部に装着されて前記スイベルを加圧する圧力板と、前記スイベルが前面に装着されるスイベルホルダーと、前記スイベルホルダーの背面に装着される取付板と、前記取付板の背面から前記圧力板の前面部を貫通するシャフトと、前記シャフトの外周面に挿入されて前記圧力板を加圧するナットと、及び前記ナットと前記圧力板の間に挿入されるワッシャー部が含まれる。
【発明の効果】
【０００９】
前記したところのような構成を成す本発明によるディスプレー機器の角度調節装置によって、使用者の凝視位置に合う角度に手軽く調節可能になる効果がある。
【００１０】
また、前記角度調節装置が高く調節部材及び固定板又は支柱と結合されることで、天井から所定距離に離隔された空間上に設置されるとか、底に安置され既存のヒンジが適用されたチルト型スタンド機能も遂行可能な効果がある。
【００１１】
また、前記高さ調節部材が自主的に回転できるだけでなく、前記角度調節装置のスイベルによってディスプレー機器の角度調節も可能になって、どの方向でも画面をきれいに見られる効果がある。
【発明を実施するための最良の形態】
【００１２】
以下では本発明の具体的な実施例を図面と一緒に詳細に説明するようにする。しかし、本発明の思想が提示される実施例に制限されなくて、又他の構成要素の追加、変更、削除等によって、退歩的な他の発明や本発明思想の範囲内に含まれる他の実施例を容易に提案することができる。
【実施例】
【００１３】
図１は本発明の思想による角度調節装置にディスプレー機器が装着された形態を示す背面斜視図で、図２は前記角度調節装置の分解斜視図で、図３は前記角度調節装置の垂直断面図である。
【００１４】
図１乃至図３を参照すれば、本発明によるディスプレー機器の角度調節装置（１００）はディスプレー機器（２００）の背面に装着される。そして、前記角度調節装置（１００）は壁面に装着されて前記ディスプレー機器（２００）が壁面から所定角度に回転可能になるように構成される。
【００１５】
詳細に説明すると、本発明によるディスプレー機器の角度調節装置（１００）は前記ディスプレー機器（２００）の背面と締結部材によって結合される支持板（１１０）と、前記支持板（１１０）の前面から後面方向に貫通挿入される半球形状のスイベル（１２０）と、前記スイベル（１２０）の内側に形成される陥没部位に装着されて前記スイベル（１２０）を加圧する圧力板（１６０）と、前記スイベル（１２０）の背面に位置されて前記スイベル（１２０）の湾曲部が装着されるスイベルホルダー（１３０）が含まれる。
【００１６】
また、本発明による角度調節装置（１００）は前記スイベルホルダー（１３０）の背面に装着されて、前記角度調節装置（１００）が壁面に付着可能にさせる取付板（１４０）と、取付板（１４０）の中心を貫通して前記圧力板（１６０）の中心を貫通するシャフト（１５０）と、前記シャフト（１５０）の前面部外周面に挿入されて前記構成要素等が一体に結合されるように締める締結ナット（１７０）と、前記締結ナット（１７０）が挿入される前に挿入されて前記圧力板（１６０）と前記スイベルホルダー（１３０）の間の圧着力を調節するためのワッシャー部（１８０）がより含まれる。
【００１７】
より詳細に説明すると前記スイベル（１２０）はおおよそ半球形状を帯びて、その終端は直径方向に所定間隔で延長される帯（１２３）を形成して、前記帯（１２３）の中心部位に沿って締結部材が挿入されるための締結ホーム（１２１）が少なくとも一つ以上形成される。そして、前記帯（１２３）部分は前記支持板（１１０）の前面部に装着される。そして、前記スイベル（１２０）の中心部分は所定の直径を有する円型の形状に切開されて成り立つ貫通孔（１２２）が形成される。そして、前記貫通孔（１２２）を前記シャフト（１５０）が貫通して、前記貫通孔（１２２）の大きさによって前記スイベル（１２０）の可動範囲が決まる。言い換えれば、前記貫通孔（１２２）の大きさによって前記角度調節装置（１００）に装着されるディスプレー機器（２００）の回転可能な角度が決まる。
【００１８】
また、前記スイベル（１２０）の前面部に装着される前記圧力板（１６０）は前記スイベル（１２０）の内周面曲率と等しい曲率で成り立つ皿形状を成す。そして、前記圧力板（１６０）の中心部を前記シャフト（１５０）が貫通するようになる。よって、前記スイベル（１２０）の内周面と前記圧力板（１６０）の外周面が互いに接触して摩擦力を発生させる。そして、前記ディスプレー機器（２００）の大きさ及び重量によって前記摩擦力の大きさが決まる。
【００１９】
また、前記スイベル（１２０）の後面に装着される前記スイベルホルダー（１３０）は所定の直径と長さを有する円筒形上で成り立って、前面部に前記スイベル（１２０）の曲面と等しい曲率半径を有して陥没する。そして、中心部には前記シャフト（１５０）が貫通する貫通ホームが形成される。そして、前記スイベルホルダー（１３０）の終端に前記スイベル（１２０）が装着されて、反対側終端には前記取付板（１４０）が付着する。詳細に説明すると、前記取付板（１４０）が付着する終端面の直径は前記スイベル（１２０）が装着される終端部の直径より大きく形成されて、枠部分に沿って締結部材が貫通されるようにする締結ホーム（１３１）が少なくとも一つ以上形成される。そして、前記取付板（１４０）に前記締結ホーム（１３１）と一致する締結ホーム（１４１）が多数個形成される。そして、前記締結ホーム（１３１）（１４１）に締結部材が貫通されて、前記取付板（１４０）と前記スイベルホルダー（１３０）が一体に結合されるようにする。そして、前記締結ホーム（１３１）（１４１）を貫通する締結部材は前記角度調節装置（１００）が装着される壁面を貫通する。
【００２０】
一方、前記スイベルホルダー（１３０）の中心と前記締結ホーム（１３１）の間に締結ホーム（１３２）が円を成して多数個より形成されて、前記取付板（１４０）にも前記締結ホーム（１３２）と一致する位置に多数個の締結ホーム（１４２）が形成される。そして、前記締結ホーム（１３２）（１４２）に締結部材が貫通挿入されて前記スイベルホルダー（１３０）と前記取付板（１４０）が一体に結合されるようにする。ここで、前記締結ホーム（１３２）（１４２）を貫通する締結部材は前記取付板（１４０）側から前記スイベルホルダー（１３０）側に貫通挿入される。  
【００２１】
ここで、前記スイベル（１２０）が装着される部位のスイベルホルダー（１３０）の直径にしたがって前記ディスプレー機器（２００）の回転量が決まる。言い換えれば、前記スイベルホルダー（１３０）の直径が大きくなるほど前記スイベルホルダー（１３０）の終端と前記スイベル（１３０）の帯（１２３）は近くなるようになる。そして、前記スイベル（１２０）が最大に回転可能な状態が前記スイベルホルダー（１３０）の終端と前記支持板（１１０）が接触された状態である。よって、前記スイベルホルダー（１３０）の直径が小くなるほど前記スイベル（１２０）が回転することができる角度は大きくなるようになって、前記ディスプレー機器（２００）の回転角度量が大きくなるようになる。
【００２２】
また、前記スイベル（１２０）の帯部分が装着される前記支持板（１１０）は中心部に前記スイベル（１２０）の終端部直径と等しい大きさの直径を有する貫通部が形成される。そして、前記で説明したところのように前記スイベルが前記貫通部を貫通して前記スイベルホルダー（１３０）に装着される。そして、前記支持板（１１０）と前記スイベル（１２０）は前記帯（１２３）部分に形成された締結ホーム（１２１）を貫通する締結部材によって一体に結合される。そして、前記支持板（１１０）と前記ディスプレー機器（２００）の間には少なくとも一つ以上の締結ボス（２１０）が挿入されて、スクリューのような締結部材が前記締結ボス（２１０）を貫通することで、前記ディスプレー機器（２００）と前記支持板（１１０）が結合される。ここで、前記締結ボス（２１０）は前記支持板（１１０）の前面部の端に装着されることが望ましい。そして、前記支持板（１１０）の形状は本発明に提示された実施例に制限されなくて、多様な形状が提案可能であることを明らかにしておく。  
【００２３】
また、前記スイベル（１２０）の前面陥没部に装着される前記圧力板（１６０）は前述したところのように前記スイベル（１２０）の曲率と等しい曲率に形成されて、前記スイベル（１２０）の内周面と接触するようになる。そして、中心部には前記シャフト（１５０）が貫通するためホームが形成される。そして、前記圧力板（１６０）は前記シャフト（１５０）によって前記スイベルホルダー（１３０）と一体に固定されて、前記スイベル（１２０）が回転する間にも前記スイベルホルダー（１３０）と一緒に固定された状態を維持する。
【００２４】
一方、前記圧力板（１６０）の前面部に装着されて、前記シャフト（１５０）の外周面に挟まれる前記ワッシャー部（１８０）は平ワッシャー  （１８１）とスプリングワッシャー（１８２）で成り立つ。詳細に説明すると、前記平ワッシャー（１８１）は所定の外径を有する円型の閉曲線帯を成す。しかし、前記スプリングワッシャー（１８２）は所定の外径を有する円型であることは前記平ワッシャー（１８１）と等しいが、螺旋形状に湾曲されて一側終端と他側終端が所定間隔で段差に形成される。したがって前記スプリングワッシャー（１８２）は閉曲線を成さないことを特徴とする。そして、前記スプリングワッシャー（１８２）は所定の弾性係数を有する。
【００２５】
詳細に説明すると、前記スプリングワッシャー（１８２）の前後面に前記平ワッシャー（１８１）が挟まれて、前記スプリングワッシャー（１８２）の前側に挟まれる平ワッシャー（１８１）の前面にナット（１７０）が挿入される。そして、前記ナット（１７０）の回転によって前記角度調節装置（１００）を成す構成要素等が堅く締結される。ここで、前記ナット（１７０）が前記シャフト（１５０）に挿入されて回転する量によって前記スイベル（１２０）の前後面に発生される摩擦力の大きさが決まる。そして、前記ナット（１７０）が締められることによって前記スプリングワッシャー（１８２）の一側終端と他側終端が成す段差距離が狭められるようになる。よって、前記スプリングワッシャー（１８２）の弾性力によって前記圧力板（１６０）が前記スイベル（１２０）を押す圧力が微細に調整される。言い換えれば、前記ディスプレー機器（２００）の厚さ又は重量が大きくなるによって前記ナット（１７０）の絞り力が大きくなるようになって、前記スプリングワッシャー（１８２）によって発生される弾性力が前記圧力板（１６０）に伝達する。
【００２６】
前記のような構成と手順によって組み立てされる調節装置（１００）に装着されたディスプレー機器（２００）の角度を調節するために、使用者が前記ディスプレー機器（２００）を上下及び／又は左右に動くようにする。そうすると、前記ディスプレー器機（２００）の背面に一体に結合された前記支持板（１１０）が一緒に動くようになる。これと同時に前記支持板（１１０）と一体に欠陥された前記スイベル（１２０）が前記スイベルホルダー（１３０）上で回転するようになる。そして、前記スイベル（１２０）の前面と前記圧力板（１６０）の間及び前記スイベル（１２０）の背面と前記スイベルホルダー（１３０）の陥没部位に所定の摩擦力が作用するようになるので、前記ディスプレー機器（２００）が所定角度で回転した状態で使用者が手をはなしても動かなくなる。それだけでなく前記スイベル（１２０）は背面に前記貫通孔（１２２）が形成されて、その内部に前記シャフト（１５０）が貫通挿入されるため前記ディスプレー機器（２００）が前記シャフト（１５０）を中心に回転が可能な特徴がある。よって、直方形形状のディスプレー機器（２００）が水平又は垂直に固定されるようになる。
【００２７】
図４は本発明の思想によるディスプレー機器の角度調節装置と結合されたディスプレー機器が壁面に付着した状態の側断面図である。
【００２８】
図４を参照すれば、前記ディスプレー機器（２００）が壁面に付着した場合、前記角度調節装置（１００）に装着された前記ディスプレー機器（２００）は重さの中心が作用する地点（Ｐ１）に自重（Ｗ）が下側で作用するようになる。そして、壁面から前記重さの中心点（Ｐ１）までの距離（Ｌ）と前記自重（Ｗ）の倍にあたる大きさのモーメント（Ｍ１）が前記角度調節装置（１００）に作用するようになる。
【００２９】
一方、前記重さの中心が前記回転中心（Ｐ１）から所定間隔に離隔された地点（Ｐ２）に作用するようになれば、前記回転中心（Ｐ１）から前記離隔された地点（Ｐ２）までの距離（Ｌ１）と前記ディスプレー機器（２００）の自重（Ｗ）の倍に当たる回転モーメント（Ｍ２）が前記ディスプレー機器（２００）の回転中心（Ｐ１）に作用するようになる。ここで、前記重さの中心が作用する地点（Ｐ２）は図面上で見る時前記回転中心（Ｐ１）から左側または右側に形成されることができる。これは前記スイベル（１２０）の大きさ又は前記ディスプレー機器（２００）の厚さ等によって決まる。
【００３０】
詳細に説明すると、前記回転モーメント（Ｍ２）によって前記ディスプレー機器（２００）が自然に回転されることを防止するために、前記回転モーメント（Ｍ２）より少なくとも同じとか大きい摩擦力が前記スイベル（１２０）の前後面に作用するように前記ナット（１７０）を締める。そうすれば、前記ワッシャー部材（１８０）が前記圧力板（１６０）を加圧するようになって、前記圧力板（１６０）と前記スイベルホルダー（１３０）が前記スイベル（１２０）の前後面を加圧することで、前記回転モーメント（Ｍ２）より同じとか大きい摩擦力が発生するようになる。
【００３１】
よって、前記回転モーメント（Ｍ２）の大きさによって前記スイベル（１２０）の前後面に作用する摩擦力の大きさが決まるので、前記ディスプレー機器（２００）の重さの中心が前記スイベル（１２０）の曲率半径中心、すなわち回転中心と同一地点に作用するようにすることが望ましい。
【００３２】
本発明による角度調節装置（１００）はディスプレー機器（２００）に作用する重さの中心の位置によって前記スイベル（１２０）の曲率半径を適切に調節することで、前記ディスプレー機器（２００）の重さの中心の作用する地点がディスプレー機器（２００）の回転中心（Ｐ１）に最大限近くに形成されるようにできる長所がある。
【００３３】
図５乃至図８は本発明の思想による角度調節装置に装着されたディスプレー機器の回転状態を示す実施例である。
【００３４】
詳細に説明すると、図５は前記ディスプレー機器（２００）が上向き回転した状態の右側面図であり、図６は前記ディスプレー機器（２００）が下向き回転した状態の右側面図で、図７は前記ディスプレー機器（２００）が右向回転した状態の平面図で、図８は前記ディスプレー機器（２００）が左向回転した状態の平面図である。
【００３５】
ここで、前記ディスプレー機器（２００）は図示されたところのように上下左右で自由に回転できるだけでなく、シャフト（１５０）を回転中心にして時計方向又は反時計方向でも自由に回転可能な特徴がある。
【００３６】
図９及び図１０は本発明の思想による角度調節装置において、スイベルの又他の実施例を示す斜視図である。
【００３７】
図９及び図１０を参照すれば、本発明による角度調節装置（１００）の構成要素であるスイベル（１２０）の底面に形成される貫通孔の形状によってディスプレー機器（２００）の回転可能方向が決まる。
【００３８】
詳細に説明すると、壁面に装着されるディスプレー機器（２００）が上下又は左右方向で回転する機能だけ遂行されても十分な場合は、図示されたところのように前記スイベル（１２０）の底面に形成される貫通孔（１２４）の形状が所定の幅と長さを有する直線形態で成り立つことができる。そして、前記ディスプレー機器（２００）が上下及び左右で回転する機能が遂行されるようにするためには前記貫通孔（１２４）の形状が「＋」字形状で成り立つことができる。
【００３９】
言い換えれば、前記貫通孔（１２４）の形状によって前記シャフト（１５０）の移動経路が決まるのである。
【００４０】
ここで、前記貫通孔（１２４）の形状は本発明の実施例に制限されなくて、前記ディスプレー機器（２００）の回転方向によって自由に設定可能さを明らかにしておく。
【００４１】
図１１は本発明の思想によるディスプレー機器の角度調節装置が適用される一実施例である。
【００４２】
図１１を参照すれば、本発明によるディスプレー機器の角度調節装置（１００）は高さ調節部材（３１０）と、前記高さ調節部材（３１０）が天井部位に装着されるようにする固定板（３００）によって天井から垂直方向で所定の長さが延長され設置可能である。
【００４３】
詳細に説明すると、前記高さ調節部材（３１０）はチルト（ｔｉｌｔ）機能が遂行される部材として、使用者が前記ディスプレー機器（２００）の高さを調節するように機能する。そして、前記高さ調節部材（３１０）は自主的に３６０度回転が可能になるように構成される。
【００４４】
よって、使用者の位置にしたがって前記ディスプレー機器（２００）の位置が自由に設定されることができるし、ディスプレー機器（２００）がっ長方形である場合回転を通じて水平又は垂直に設置可能なことを特徴とする。
【００４５】
図１２は本発明によるディスプレー機器の角度調節装置が適用される又他の一実施例である。
【００４６】
図１２を参照すれば、本発明によるディスプレー機器の角度調節装置（１００）は所定の長さを有して直立する高さ調節部材（４１０）と、前記高さ調節部材（４１０）の下側に所定の面積を有して装着されて底面に装着される支柱（４００）と結合されることができる。
【００４７】
詳細に説明すると、前記角度調節装置（１００）の取付板（１４０）後面に前記高さ調節部材（４１０）が装着されて、前記高さ調節部材（４１０）の下端に前記支柱（４００）が装着されることで、スタンド（ｓｔａｎｄ）機能が遂行されるようにできる。
【００４８】
より詳細に説明すると、前記ディスプレー機器（２００）の背面に装着される前記角度調節装置（１００）は既存のチルト型角度調節装置に具備されるヒンジ（ｈｉｎｇｅ）機能を遂行するようになる。しかし、本発明による角度調節装置（１００）は従来の上下方向回転だけ可能にさせるヒンジと違い３次元回転が可能になる長所がある。
【００４９】
それだけでなく、前記高さ調節部材（４１０）は前記図１１で提示されたところのように自主的に高低が調節可能で、回転が可能な特徴がある。
【００５０】
よって、前記高さ調節部材（４１０）自体が回転が可能になるので、すべての方向で前記ディスプレー機器（２００）画面を見られる長所がある。
【００５１】
前記のような構成を成すディスプレー機器の角度調節装置はコンピューターモニター、ＰＤＰ又はＬＣＤモニターに装着されるようにすることで、多様な角度でもモニターの画面内容をきれいに見られるので、産業上利用可能性が非常に高い特徴がある。
【図面の簡単な説明】
【００５２】
【図１】角度調節装置にディスプレー機器が装着された形態を示す背面斜視図。
【図２】前記角度調節装置の分解斜視図。
【図３】前記角度調節装置の垂直断面図。
【図４】ディスプレー機器の角度調節装置と結合されたディスプレー機器が壁面に付着した状態の側断面図。
【図５】角度調節装置に装着されたディスプレー機器の回転状態を示す実施例。
【図６】角度調節装置に装着されたディスプレー機器の回転状態を示す実施例。
【図７】角度調節装置に装着されたディスプレー機器の回転状態を示す実施例。
【図８】角度調節装置に装着されたディスプレー機器の回転状態を示す実施例。
【図９】角度調節装置に装着されたディスプレー機器の回転状態を示す実施例。
【図１０】角度調節装置において、スイベルの他の実施例を示す斜視図。
【図１１】ディスプレー機器の角度調節装置が適用されるもう一つの実施例。
【図１２】ディスプレー機器の角度調節装置が適用されるもう一つの実施例。
【図１】
2008513846.tif 000003
【図２】
2008513846.tif 000004
【図３】
2008513846.tif 000005
【図４】
2008513846.tif 000006
【図５】
2008513846.tif 000007
【図６】
2008513846.tif 000008
【図７】
2008513846.tif 000009
【図８】
2008513846.tif 000010
【図９】
2008513846.tif 000011
【図１０】
2008513846.tif 000012
【図１１】
2008513846.tif 000013
【図１２】
2008513846.tif 000014
【国際調査報告】
2008513846.tif 000015
2008513846.tif 000016